(57)【要約】本発明はディスプレイシステムに関する。ディスプレイシステムは、固定の支持ベース（１）と、移動可能に支持されたディスプレイ装置（３）と、電磁位置決めユニット（７）とを含む。電磁位置決めユニットによって、ディスプレイ装置の位置及び向きは視聴者の要望に応じて調節され得る。
2006509390.tif 000002
【特許請求の範囲】
【請求項１】
固定の支持ベースと、
該支持ベースによって移動可能に支持されたディスプレイ装置と、
該ディスプレイ装置を前記支持ベースに対して位置決めするための電磁位置決めユニットと、
を有することを特徴とするディスプレイシステム。
【請求項２】
前記ディスプレイ装置を案内するために、前記支持ベースは、ロッド形状ガイドを備えることを特徴とする請求項１に記載のディスプレイシステム。
【請求項３】
前記電磁位置決めユニットは、前記ディスプレイ装置を前記ロッド形状ガイドに沿って並進するための並進アクチュエータ、及び／又は、前記ディスプレイ装置を前記ロッド形状ガイドの周りで回転するための回転アクチュエータを有することを特徴とする請求項２に記載のディスプレイシステム。
【請求項４】
前記並進アクチュエータは、前記ロッド形状ガイドの内部又は上部に形成された永久磁石部と、前記ディスプレイ装置に固定され、且つ、前記永久磁石部の磁界内に配置されたコイル部とを有することを特徴とする請求項３に記載のディスプレイシステム。
【請求項５】
前記回転アクチュエータは、前記ディスプレイ装置の内部又は上部に形成された永久磁石部と、前記ロッド形状部に固定され、且つ、前記永久磁石部内に配置されたコイル部とを有することを特徴とする請求項３に記載のディスプレイシステム。
【請求項６】
当該ディスプレイシステムは、前記ディスプレイ装置を所定位置に係止するための係止装置を備えることを特徴とする請求項１乃至５のうちいずれか１項に記載のディスプレイシステム。
【請求項７】
前記係止装置は、ソレノイドを有することを特徴とする請求項６に記載のディスプレイ装置。
【請求項８】
当該ディスプレイシステムは、前記ディスプレイ装置の位置決めを制御するためのリモートコントロールを有することを特徴とする請求項１乃至５のうちいずれか１項に記載のディスプレイシステム。
【請求項９】
当該ディスプレイシステムは、前記ディスプレイ装置の係止を制御するためのリモートコントロールを有することを特徴とする請求項６又は７のいずれか１項に記載のディスプレイシステム。
【発明の詳細な説明】
【技術分野】
【０００１】
本発明は、支持ベースによって支持されたテレビジョンセット又はモニタのような、固定の支持ベース及びディスプレイ装置を含むディスプレイシステムに関する。
【背景技術】
【０００２】
そのようなディスプレイシステムは一般的に既知であり、支持ベースはテーブル、戸棚、スタンド、壁若しくは天井又はその他の支持体に取り付けられた支持アームによって形成されている。ディスプレイ装置はディスプレイスクリーンを備える。そのようなシステムにおいて、ディスプレイ装置は、ディスプレイスクリーンを見る視聴者に対する位置及び向きに関する固定位置を有する。
【０００３】
多くの場合、ディスプレイ装置、特に、そのスクリーンの位置及び向きの恒久的な調節は視聴者にとって便利ではない。ある場合には、ディスプレイ装置の位置を他の位置に変えるために、支持ベースはスクリュのような機械的手段を備える。しかしながら、このような調節は極めて面倒である。
【発明の開示】
【発明が解決しようとする課題】
【０００４】
ディスプレイ装置の位置を単純且つ正確な方法で変え得るよう、既知のディスプレイ装置を改良することが本発明の目的である。
【課題を解決するための手段】
【０００５】
この目的は本発明に従ったディスプレイシステムによって達成される。このディスプレイシステムは、固定の支持ベースと、支持ベースによって移動可能に支持されるディスプレイ装置と、ディスプレイ装置を支持ベースに対して位置決めするための電磁位置決めユニットとを含む。電磁位置決めユニットの存在は、視聴者によって望まれる各瞬間において、ディスプレイ装置、よって、ディスプレイスクリーンの位置を調節する機会を提供する。ディスプレイ装置が支持ベースに対して移動可能に配置されている、即ち、ディスプレイ装置が移動可能な軸受を有しているという事実の故に、電磁位置決めユニットが励磁されたときに、電磁位置決めユニットによって発生する磁力の影響の下で、ディスプレイ装置は、支持ベースに対して移動可能、例えば、回転、傾斜及び／又は移動可能である。電磁位置決めユニットを制御するために、ディスプレイシステムはリモートコントロール機能を備えるのが好ましい。このリモートコントロール機能は、リモートコントロール内に組み込まれ得る。リモートコントロールそれ自体は既知であり、ディスプレイシステムの一部であるのが普通であるが、別個のリモートコントロールであってもよいのは勿論である。ディスプレイ装置を電磁位置決めユニットによって調節後に得られた所望位置で係止するために、ディスプレイシステムは係止ユニット、特に、ソレノイドから成る係止ユニットを備えるのが好ましい。リモートコントロールによって係止ユニットを制御するのは便利である。本発明に従ったディスプレイシステムのディスプレイ装置は、従来型の或いはより現代型のモニタ又はテレビジョンセットたり得る。その場合、従来型のブラウン管はＬＣＤのようなより高度なディスプレイユニットと置換される。
【０００６】
本発明に従ったディスプレイシステムのより実用的な実施態様において、ディスプレイ装置を案内するために、支持ベースはロッド形状ガイドを備える。使用中、ガイドは水平方向又は垂直方向に延びるのが普通であるが、他の方向も適当たり得る。用途に応じて、ガイドは直線的であっても、湾曲状であってもよい。
【０００７】
本発明に従ったディスプレイシステムのさらなる実用的な実施態様において、電磁位置決めユニットは、ディスプレイ装置をロッド形状ガイドに沿って並進するための並進アクチュエータ、及び／又は、ディスプレイ装置をロッド形状ガイドの周りで回転するための回転アクチュエータを含む。周知のアクチュエータ装置がディスプレイ装置の所望の動作を実現するために用いられるのが好ましい。これは発明性のあるディスプレイシステムを単純且つ効率的にし、よって、魅力的な位置決めユニットが得られる。得られた並進及び回転動作は、視聴者に関して、ディスプレイ装置、よって、ディスプレイスクリーンの適切な位置、即ち、配置及び向きを見い出すのに概ね十分である。
【０００８】
アクチェエータは請求項４又は５に定められるように構成し得るが、磁石及びコイルの他のシステムも可能である。もし活性化のために必要であるなら、ロッド形状ガイドは磁気材料で形成されてもよい。両方の所望動作を遂行し得るように構成された単一のアクチュエータユニットを用いることも可能である。
【０００９】
本発明に従ったディスプレイ装置のさらなる実施態様は請求項６乃至９に記述されている。
【００１０】
請求項を参照すると、一連の請求項に定められるような多様な特徴的機能は、組み合わせで生じ得ることが留意されるべきである。
【００１１】
本発明の上記及び他の特徴は、以下の実施態様を参照して、非限定的な例によって明瞭に解明されるであろう。
【発明を実施するための最良の形態】
【００１２】
図１に開示されているような本発明に従ったディスプレイシステムは、固定の支持ベース１と、支持ベースによって移動可能に支持されたディスプレイ装置３とを有する。本例において、スクリーン３ａを有するディスプレイ装置３はＬＣＤテレビジョンセットである。ＣＲＴテレビジョンセット又はプラズマテレビジョンセットに比べ、そのようなセットは軽量である。支持ベース１は、ロッド形状ガイド５を含み、ディスプレイ装置３のための案内及び取付本体として作用する。本例では、ガイド５はベース６に固定されている。本発明に従ったディスプレイシステムは電磁位置決めユニット７をさらに有し、ディスプレイ装置３のための駆動部として作用する。ディスプレイシステムは、ガイドに沿ってディスプレイ装置を移動するための、並進アクチュエータである第一アクチュエータと、ガイドの周りでディスプレイ装置を移動するための、回転アクチュエータである第二アクチュエータとを含む。双方のアクチュエータは既知のアクチュエータ装置であってもよい。本発明はそのようなアクチュエータに関係しない。ガイド５に沿った動作及びガイド５の周りの動作は、各々、矢印Ｔ及びＲで示されている。
【００１３】
双方のアクチュエータは、ディスプレイスクリーン３ａに取り付けられたハウジング８内に位置し、或いは、ハウジング８内に少なくとも部分的に位置している。スクリーン３ａが一体化されたハウジング８を用いることも可能である。
【００１４】
ハウジング８はその両軸端にスリーブを備えてもよく、スリーブは摺動及び安定性のために作用する。スリーブの代わりに、滑り軸受を用い得る。
【００１５】
ディスプレイ装置３を到達及び／又は所望位置において係止(ロック)するために、ディスプレイシステムは係止(ロック)装置９を備える。本例において、係止装置９はソレノイドを含み、ソレノイド自体は既知である。
【００１６】
図面には示されていないが、示されている本発明に従ったディスプレイシステムの例は、位置決めユニット７及び係止装置９を制御するためのリモートコントロールを含む。周知の制御回路をそのようなリモートコントロール内に適用し得る。
【００１７】
図２は、電磁位置決めユニット７の第一アクチュエータ及び第二アクチュエータの実施態様を示しており、第一アクチュエータは参照番号７ｔによって示され、第二アクチュエータは参照番号７ｒによって示されている。第一アクチュエータ７ｔは、ロッド形状ガイド５に取り付けられた永久磁石部７ｔ１と、ディスプレイ装置３に固定され、且つ、永久磁石部７ｔ１の磁界内に置かれたコイル部７ｔ２とを含む。コイル部７ｔ２を励磁することによって、ディスプレイ装置３をガイド５に沿って並進するための軸方向力が発生する。第二アクチュエータ７ｒは、ディスプレイ装置３に固定された永久磁石部７ｒ１と、ロッド形状ガイド５に固定され、且つ、永久磁石部７ｒ１の磁界内に置かれたコイル部７ｒ２とを含む。コイル部７ｒ２を励磁することによって、ディスプレイ装置３をガイド５の周りで回転するための接線分力が発生する。このようにして、ディスプレイ装置の移動が制御された方法で得られ、雑音のない方法で遂行される。
【００１８】
本発明は本明細書に示されている実施態様に限定されるものではなく、多様なアクチュエータ装置を用い得ることが明確に留意されるべきである。
【図面の簡単な説明】
【００１９】
【図１】本発明に従ったディスプレイ装置の一般的な構造を概略的に示す斜視図である。
【図２】本発明に従ったディスプレイ装置に適用されるアクチュエータの実施態様を示す概略図である。
【図１】
2006509390.tif 000003
【図２】
2006509390.tif 000004
【国際調査報告】
2006509390.tif 000005
2006509390.tif 000006
2006509390.tif 000007